(57)【要約】【課題】容易に設置することができるディスプレイモニタ機能付ミラー、洗面化粧台及び洗面化粧台を提供すること。【解決手段】ディスプレイモニタ機能付ミラー４は、被取付部１に対して開閉可能に取り付け可能なディスプレイモニタ機能付ミラーであって、ミラー部４１と、商用電源から給電を受けるための給電部４５と、給電部４５を介して給電された電力により駆動され、ミラー部４１の少なくとも一部の領域に画像を表示する表示部４２と、ミラー部４１を被取付部１に対して開閉可能に接続するための接続部材４４と、を備える。【選択図】図２
2020151020.tif 000002
【特許請求の範囲】
【請求項１】
被取付部に対して開閉可能に取り付け可能なディスプレイモニタ機能付ミラーであって、
ミラー部と、
商用電源から給電を受けるための給電部と、
前記給電部を介して給電された電力により駆動され、前記ミラー部の少なくとも一部の領域に画像を表示する表示部と、
前記ミラー部を前記被取付部に対して開閉可能に接続するための接続部材と、を備えるディスプレイモニタ機能付ミラー。
【請求項２】
前記接続部材は、蝶番を含んで構成される請求項１に記載のディスプレイモニタ機能付ミラー。
【請求項３】
前記被取付部への前記接続部材の取り付け位置を調整可能な位置調整機構を備える請求項１又は２に記載のディスプレイモニタ機能付ミラー。
【請求項４】
前記給電部は、電源ケーブルと、商用電源に接続するための電源プラグと、を有する請求項１〜３のいずれかに記載のディスプレイモニタ機能付ミラー。
【請求項５】
請求項１〜４のいずれかに記載のディスプレイモニタ機能付ミラーを備える化粧台。
【請求項６】
前記被取付部には、前記給電部を接続可能なコンセントが設けられている請求項５に記載の化粧台。
【請求項７】
対象物から既設のミラー部を取り外す工程と、
請求項１〜４のいずれかに記載のディスプレイモニタ機能付ミラーを前記対象物である前記被取付部に取り付ける工程と、を含むディスプレイモニタ機能付ミラーの設置方法。
【発明の詳細な説明】
【技術分野】
【０００１】
本発明は、ディスプレイモニタ機能付ミラー、化粧台及びディスプレイモニタ機能付ミラーの設置方法に関する。
【背景技術】
【０００２】
従来、ミラーと、ミラーの一部の領域に画像を表示する表示部と、を備えるディスプレイモニタ機能付ミラーが知られている（例えば、特許文献１参照）。特許文献１に記載のディスプレイモニタ機能付ミラーは、化粧台に備えられており、商用電源から給電を受けて動作する。
【先行技術文献】
【特許文献】
【０００３】
【特許文献１】特開２０１７−６４１１４号公報
【発明の概要】
【発明が解決しようとする課題】
【０００４】
ところで、化粧台において、表示部を有さないミラー付きの開閉扉を、表示部を有するディスプレイモニタ機能付ミラーに交換したいという要望があった。開閉扉を備えない化粧台に、表示部を有するディスプレイモニタ機能付ミラーを設置したいという要望があった。住宅設備におけるミラー付きの開閉扉（下駄箱の扉、クローゼットの扉、ドアなど）についても、化粧台のミラー付きの開閉扉と同様に、表示部を有するディスプレイモニタ機能付ミラーに交換したいという要望があった。
【０００５】
これに対して、ディスプレイモニタ機能付ミラーは、商用電源から給電を受けて動作するため、配線工事が必要となり、ミラー付きの開閉扉をディスプレイモニタ機能付ミラーに交換することが困難であった。
そのため、ディスプレイモニタ機能付ミラーを容易に設置できることが望まれている。
【０００６】
本発明は、容易に設置することができるディスプレイモニタ機能付ミラー、化粧台及びディスプレイモニタ機能付ミラーの設置方法を提供することを目的とする。
【課題を解決するための手段】
【０００７】
本発明は、被取付部（例えば、後述の洗面化粧台１）に対して開閉可能に取り付け可能なディスプレイモニタ機能付ミラー（例えば、後述のディスプレイモニタ機能付ミラー扉４）であって、ミラー部（例えば、後述のミラー部４１）と、商用電源から給電を受けるための給電部（例えば、後述のケーブル付きプラグ４５）と、前記給電部を介して給電された電力により駆動され、前記ミラー部の少なくとも一部の領域に画像を表示する表示部（例えば、後述の表示部４２）と、前記ミラー部を前記被取付部に対して開閉可能に接続するための接続部材（例えば、後述の蝶番４４）と、を備えるディスプレイモニタ機能付ミラーに関する。
【図面の簡単な説明】
【０００８】
【図１】本発明の一実施形態の洗面化粧台を示す正面図である。
【図２】洗面化粧台に、ディスプレイモニタ機能付ミラー扉を取り付ける状態を示す斜視図である。
【図３】蝶番位置調整機構を示す図である。
【図４】ミラーキャビネットから既設の第３ミラー扉を外して、新設のディスプレイモニタ機能付ミラー扉を取り付ける場合を示す斜視図である。
【発明を実施するための形態】
【０００９】
洗面化粧台１は、図１に示すように、ミラーキャビネット２と、洗面カウンター１１と、下部キャビネット１２と、を有する。洗面カウンター１１は、上部が開口して水を受ける凹部を有する洗面ボウル１１１と、洗面ボウル１１１が配置されるカウンター部１１２と、水栓１１３とを有する。下部キャビネット１２は、洗面カウンター１１の下部に配置される。下部キャビネット１２は、水栓１１３から延びる配管などを収納する。
【００１０】
ミラーキャビネット２は、洗面化粧台１の洗面ボウル１１１の奥側で洗面ボウル１１１よりも上部に配置される鏡付きの収納部である。ミラーキャビネット２は、ミラー扉部３と、キャビネット本体５と、を有する。
【００１１】
ミラー扉部３は、ミラーキャビネット２の前面に配置され、長方形の鏡が三枚連続して形成される三面鏡である。ミラー扉部３は、ミラーキャビネット２における開閉可能な扉として機能する。ミラー扉部３は、第１ミラー扉３１、第２ミラー扉３２、ディスプレイモニタ機能付ミラー扉４（ディスプレイモニタ機能付ミラー）を有する。第１ミラー扉３１及び第２ミラー扉３２は、表示部を有さない鏡付きの扉である。ディスプレイモニタ機能付ミラー扉４は、表示部４２を有する鏡付きの扉である。
【００１２】
図２に示すように、第１ミラー扉３１は、幅方向の中央に配置され、三枚のうち最も面積の広い鏡である。第２ミラー扉３２及びディスプレイモニタ機能付ミラー扉４は、第１ミラー扉３１の左右方向の一方側及び他方側にそれぞれ配置され、第１ミラー扉３１の幅よりも狭い。第１ミラー扉３１及び第２ミラー扉３２は、幅方向の一方側又は他方側に蝶番（図示せず）が配置され、蝶番により、開閉するように構成されている。ディスプレイモニタ機能付ミラー扉４の背面には、幅方向の一方側の端部寄りに、一対の蝶番４４（図２参照）が上下方向に離れて配置されている。ディスプレイモニタ機能付ミラー扉４は、一対の蝶番４４を介して、キャビネット本体５に対して開閉するように構成されている。ディスプレイモニタ機能付ミラー扉４の構成の詳細については後述する。
【００１３】
キャビネット本体５は、ミラー扉部３の背面側に配置され、ミラー扉部３に対応する寸法を有する棚である。キャビネット本体５は、前面側が開放した箱状に形成される。キャビネット本体５において、第１ミラー扉３１、第２ミラー扉３２及びディスプレイモニタ機能付ミラー扉４の背面側には、三つに分割された第１収納棚５１、第２収納棚５２及び第３収納棚５３が形成される。
【００１４】
第３収納棚５３の下方には、図２に示すように、電気機器用の差し込みプラグ穴７（コンセント）が配置されている。差し込みプラグ穴７には、後述するディスプレイモニタ機能付ミラー扉４のケーブル付きプラグ４５が差し込まれる（接続される）。
【００１５】
ディスプレイモニタ機能付ミラー扉４について説明する。ディスプレイモニタ機能付ミラー扉４は、図２に示すように、洗面化粧台１の第３収納棚５３に対して開閉可能に取り付け可能である。ディスプレイモニタ機能付ミラー扉４は、正面視で長方形状に形成され、厚みを有して形成される。ディスプレイモニタ機能付ミラー扉４は、ミラー部４１と、表示部４２と、支持板４３と、一対の蝶番４４（接続部材）と、ケーブル付きプラグ４５（給電部）と、を備える。
【００１６】
ミラー部４１は、ディスプレイモニタ機能付ミラー扉４の前面に配置され、ディスプレイモニタ機能付ミラー扉４における前面を構成する。ミラー部４１は、背面側において、支持板４３に支持される。ミラー部４１を支持する支持板４３は、一対の蝶番４４を介して、第３収納棚５３の側板に、開閉可能に取り付けられる。
【００１７】
表示部４２は、図２に示すように、ミラー部４１の背面側において、支持板４３に形成される貫通開口（図示せず）に配置される。表示部４２は、ケーブル付きプラグ４５を介して給電された電力により駆動される。表示部４２は、ミラー部４１の少なくとも一部の所定領域において、取得した情報（例えば、カメラ（図示せず）で撮像した撮像情報やインターネット回線を通じて取得した画像情報）に基づいて、取得した情報を表示するように構成される。表示部４２が起動していない場合には、ミラー部４１は、鏡として機能する。
【００１８】
一対の蝶番４４は、ミラー部４１を洗面化粧台１（被取付部）に対して開閉可能に接続するための部材である。蝶番４４は、ディスプレイモニタ機能付ミラー扉４を開閉可能に、第３収納棚５３とディスプレイモニタ機能付ミラー扉４とを開閉可能に接続する。蝶番４４の一方側は、支持板４３の背面に固定される。蝶番４４の他方側は、第３収納棚５３の第２収納棚５２の側板の側面に固定される蝶番用台座部５３１に嵌合可能である。蝶番４４の支持板４３への取付位置は、蝶番位置調整機構６（位置調整機構）により調整可能である。
【００１９】
蝶番位置調整機構６は、洗面化粧台１への蝶番４４の取り付け位置を調整可能な機構である。蝶番位置調整機構６は、図３に示すように、複数の取付開口６１を有する。複数の取付開口６１は、支持板４３の背面の幅方向の一方側寄りにおいて、上下方向に並んで配置される。取付開口６１は、蝶番４４の取付部４４１を挿入可能な円形状の開口により形成される。蝶番位置調整機構６においては、蝶番４４は、複数の取付開口６１のうちの任意の取付開口６１に取付部４４１が挿入されることで、上下方向の任意の位置において、ネジ４４２により固定されることが可能である。
【００２０】
ここで、蝶番位置調整機構６を設けた理由について説明する。洗面化粧台１において、既設のミラー扉を新設のディスプレイモニタ機能付ミラー扉４に交換する場合には、既設のミラー扉を洗面化粧台１から取り外しても、既設のミラー扉用の蝶番用台座部５３１は、洗面化粧台１に固定されている。そのため、新設のディスプレイモニタ機能付ミラー扉４の蝶番４４の位置と蝶番用台座部５３１の位置とが対応していない場合には、新設のディスプレイモニタ機能付ミラー扉４の蝶番４４を、蝶番用台座部５３１に取り付けることができない。これに対して、本発明では、蝶番位置調整機構６により、上下方向の任意の位置において、支持板４３に形成される複数の取付開口６１のいずれかに、蝶番４４を取り付けることができるように構成することで、蝶番用台座部５３１の上下方向の位置に対応して、蝶番４４を取り付けることができる。よって、洗面化粧台１に新設のディスプレイモニタ機能付ミラー扉４を容易に取り付けることができる。
【００２１】
なお、本実施形態においては、蝶番位置調整機構６を複数の取付開口６１により構成したが、これに限定されない。蝶番位置調整機構６を、複数の取付開口６１を設けずに、例えば、上下方向に並ぶ複数のネジ孔を設けて上下方向の任意のネジ孔の位置において蝶番を固定可能に構成したり、蝶番を上下方向にスライド移動可能とすることで上下方向の任意の位置において蝶番を固定可能に構成することもできる。本実施形態においては、蝶番位置調整機構６を、上下方向において蝶番の固定位置を調整可能に構成したが、これに限定されず、例えば、ディスプレイモニタ機能付ミラー扉４の幅方向において蝶番の固定位置を調整可能に構成してもよい。
【００２２】
ケーブル付きプラグ４５は、商用電源から給電を受けるために設けられるプラグである。ケーブル付きプラグ４５は、電源ケーブル４５１と、商用電源に接続するための電源プラグ４５２と、を有する。電源ケーブル４５１の一端部は、表示部４２に接続され、他端部には、電源プラグ４５２が接続される。電源プラグ４５２は、差し込みプラグ穴７に差し込まれる。電源プラグ４５２としては、例えば、コンセント用のプラグや、ＵＳＢ（Ｕｎｉｖｅｒｓａｌ  Ｓｅｒｉａｌ  Ｂｕｓ）規格のプラグ等を挙げることができる。ケーブル付きプラグ４５がプラグ式で構成されるため、コンセント等に容易に接続できる。
【００２３】
以上のように構成される洗面化粧台１において、既設の第３ミラー扉３３を新設のディスプレイモニタ機能付ミラー扉４に交換する場合について説明する。図４は、キャビネット本体５から既設の第３ミラー扉３３を外して、新設のディスプレイモニタ機能付ミラー扉４を取り付ける場合を示す斜視図である。
【００２４】
まず、図４に示すように、既設の第３ミラー扉３３の蝶番３３１を蝶番用台座部５３１座から取り外すことで、洗面化粧台１から既設の第３ミラー扉３３を取り外す（取り外す工程）。次に、新設のディスプレイモニタ機能付ミラー扉４の一対の蝶番４４の位置を、蝶番用台座部５３１の位置に対応するように蝶番位置調整機構６により調整した状態で、蝶番４４を洗面化粧台１の蝶番用台座部５３１に取り付けると共に、ディスプレイモニタ機能付ミラー扉４のケーブル付きプラグ４５を差し込みプラグ穴７（コンセント）に差し込む。このようにして、ディスプレイモニタ機能付ミラー扉４を洗面化粧台１に取り付ける（取り付ける工程）。これにより、蝶番４４を洗面化粧台１の蝶番用台座部５３１に取り付けると共に、ディスプレイモニタ機能付ミラー扉４のケーブル付きプラグ４５を差し込みプラグ穴７（コンセント）に差し込むだけで、新設のディスプレイモニタ機能付ミラー扉４を洗面化粧台１に容易に取り付けることができる。
【００２５】
以上の構成を備える本実施形態のディスプレイモニタ機能付ミラー扉４によれば、以下の効果が奏される。本実施形態のディスプレイモニタ機能付ミラー扉４は、洗面化粧台１に対して開閉可能に取り付け可能であって、ミラー部４１と、商用電源から給電を受けるためのケーブル付きプラグ４５と、ケーブル付きプラグ４５を介して給電された電力により駆動され、取得した情報に基づいて、ミラー部４１の少なくとも一部の領域に情報を表示する表示部４２と、ミラー部４１を洗面化粧台１に対して開閉可能に接続するための蝶番４４と、を備える。これにより、蝶番４４及びケーブル付きプラグ４５が設けられているため、ディスプレイモニタ機能付ミラー扉４を洗面化粧台１に容易に取り付けることができる。
【００２６】
本実施形態においては、洗面化粧台１への蝶番４４の取り付け位置を調整可能な蝶番位置調整機構６を備える。そのため、蝶番４４の取り付け位置を調整できるため、ディスプレイモニタ機能付ミラー扉４の固定位置の位置調整を容易に行うことができ、ディスプレイモニタ機能付ミラー扉４を洗面化粧台１に容易に取り付けることができる。
【００２７】
本実施形態においては、洗面化粧台１には、ケーブル付きプラグ４５を接続可能な差し込みプラグ穴７が設けられている。そのため、差し込みプラグ穴７にケーブル付きプラグ４５を差し込む（接続する）だけで、容易に、商用電源から給電を受けることができる。
【００２８】
本実施形態においては、洗面化粧台１から既設の第３ミラー扉３３を取り外す工程と、ディスプレイモニタ機能付ミラー扉４を洗面化粧台１に取り付ける工程と、を含む。これにより、既設の第３ミラー扉３３をディスプレイモニタ機能付ミラー扉４に容易に交換することができる。
【００２９】
なお、本発明は上記実施形態に限定されるものではなく、本発明の目的を達成できる範囲での変形、改良等は本発明に含まれる。例えば、上記実施形態では、化粧台を洗面化粧台に適用した例について説明したが、これに限定されない。化粧台を、例えば、洗面ボウルや水栓等の洗面設備が設けられていない化粧台に適用してもよい。ディスプレイモニタ機能付ミラー扉４を、住宅設備の開閉扉（下駄箱の扉、クローゼットの扉、ドアなど）に適用してもよい。
【００３０】
上記実施形態では、既設の第３ミラー扉３３をディスプレイモニタ機能付ミラー扉４に交換する場合について説明したが、これに限定されない。第３ミラー扉３３を最初から備えない洗面化粧台１に、ディスプレイモニタ機能付ミラー扉４を取り付けてもよい。
【００３１】
上記実施形態では、接続部材を蝶番により構成したが、これに限定されない。例えば、接続部材を、スライド移動により開閉可能なアタッチメント金具などで構成してもよい。
【符号の説明】
【００３２】
１  洗面化粧台（被取付部、対象物）
４  ディスプレイモニタ機能付ミラー扉（ディスプレイモニタ機能付ミラー）
６  蝶番位置調整機構（位置調整機構）
７  差し込みプラグ穴（コンセント）
４１  ミラー部
４２  表示部
４４  蝶番（接続部材）
４５  ケーブル付きプラグ（給電部）
４５１  電源ケーブル
４５２  電源プラグ
【図１】
2020151020.tif 000003
【図２】
2020151020.tif 000004
【図３】
2020151020.tif 000005
【図４】
2020151020.tif 000006